(57)【要約】【課題】IP網で割込み電話通知サービスを提供する。【解決手段】加入者サーバ３０は、割込み着信通知サービスの契約者の端末８０Ｂが他の端末８０Ｃと通話中である場合において、PSTNの端末８０またはIP網の端末８０から、発信者番号の通知を許可する識別子が付与されている端末８０Ｂへの発呼のIP信号を受信したとき、端末８０Ｂに接続されるIP変換装置４０Ｂへ、当該発信者番号の表示指示を含む割込み着信のIP信号を送信する。IP変換装置４０Ｂは、この割込み着信のIP信号に基づき端末８０Ｂに割込み着信の発信者番号を表示させる。【選択図】図１
2011250036.tif 000002
【特許請求の範囲】
【請求項１】
発端末から発呼のIP信号を受け付けた場合において、このIP信号の宛先である着端末が他の端末と通話中であるとき、前記着端末へ、前記発端末の番号である発信者番号を通知する割込み着信通知システムにおける加入者サーバであって、
割込み着信があったとき、その割込み着信の発信者番号の通知を受ける着端末の接続先番号を示した契約者情報を記憶する記憶部と、
前記発端末から受信した発呼のIP信号を、前記IP信号に示される接続先番号に基づき、前記着端末である、前記IP網内の端末、または、前記IP網とPSTNとの間を接続するゲートウェイ装置経由で前記PSTNの端末へ送信し、ルーチング処理を行うルーチング部と、
前記発呼のIP信号の接続先番号の着端末が他の端末と通話中である場合において、前記受信した発呼のIP信号の接続先番号が、前記契約者情報に示される接続先番号であり、かつ、前記発呼のIP信号に発信者番号の通知を許可する識別子が付与されているか否かを判断する割込み着信処理部と、
前記受信した前記発呼のIP信号の接続先番号が、前記契約者情報に示される接続先番号であり、かつ、前記発呼のIP信号に発信者番号の通知を許可する識別子が付与されていると判断されたとき、前記着端末に接続されるIP変換装置またはホームゲートウェイ装置へ、当該発信者番号の表示指示を含む割込み着信のIP信号を送信する割込み着信指示部とを備えることを特徴とする加入者サーバ。
【請求項２】
前記割込み着信指示部は、割込み着信通知音の出力指示をさらに含む前記割込み着信のIP信号を前記IP変換装置またはホームゲートウェイ装置へ送信することを特徴とする請求項１に記載の加入者サーバ。
【請求項３】
請求項２に記載の加入者サーバから前記割込み着信のIP信号を受信する前記IP変換装置であって、
自身に接続される端末のフッキングを検出するフッキング検出部と、
前記フッキング検出部により、前記割込み着信の着端末のフッキングが検出されたとき、当該着端末と他の端末との間に確立されていた通話パスを、前記割込み着信の発端末との通話パスへ切り替える通話パス切り替え部と、
前記通話パスの切り替え後、当該他の端末へ保留音を送信する保留音送信部とを備えることを特徴とするIP変換装置。
【請求項４】
請求項２に記載の加入者サーバから前記割込み着信のIP信号を受信する前記ホームゲートウェイ装置であって、
自身に接続される端末のフッキングを検出するフッキング検出部と、
前記フッキング検出部により、前記割込み着信の着端末のフッキングが検出されたとき、当該着端末と他の端末との間に確立されていた通話パスを、前記割込み着信の発端末との通話パスへ切り替える通話パス切り替え部と、
前記通話パスの切り替え後、当該他の端末へ保留音を送信する保留音送信部とを備えることを特徴とするホームゲートウェイ装置。
【請求項５】
請求項１または請求項２に記載の加入者サーバと、前記加入者サーバからの割込み着信のIP信号を受信するIP変換装置またはホームゲートウェイ装置とを含んでなることを特徴とする割込み着信通知システム。
【請求項６】
請求項１または請求項２に記載の加入者サーバと、請求項３に記載のIP変換装置または請求項４に記載のホームゲートウェイ装置とを含んでなることを特徴とする割込み着信通知システム。
【請求項７】
発端末から発呼のIP信号を受け付けた場合において、このIP信号の宛先である着端末が通話中であるとき、前記着端末へ、前記発端末の番号である発信者番号を通知する割込み着信通知システムにおいて、前記割込み着信通知システムにより発信者番号の通知を受ける着端末の接続先番号を示した契約者情報を記憶する記憶部と、前記発端末から受信した発呼のIP信号を、前記IP信号に示される接続先番号に基づき、前記着端末である、前記IP網内の端末、または、前記IP網とPSTNとの間を接続するゲートウェイ装置経由で前記PSTNの端末へ送信し、ルーチング処理を行うルーチング部とを備える加入者サーバが、
前記発呼のIP信号の接続先番号の着端末が他の端末と通話中である場合において、前記受信した発呼のIP信号の接続先番号が、前記契約者情報に示される接続先番号であり、かつ、前記発呼のIP信号に発信者番号の通知を許可する識別子が付与されているか否かを判断するステップと、
前記受信した前記発呼のIP信号の接続先番号が、前記契約者情報に示される接続先番号であり、かつ、前記発呼のIP信号に発信者番号の通知を許可する識別子が付与されていると判断されたとき、前記着端末に接続されるIP変換装置またはホームゲートウェイ装置へ、当該発信者番号の表示指示を含む割込み着信のIP信号を送信するステップとを実行し、
前記IP変換装置またはホームゲートウェイ装置が、
前記割込み着信のIP信号を受信したとき、前記IP信号の接続先番号の着端末に、前記IP信号に含まれる発信者番号を表示させる信号を送信するステップを実行することを特徴とする割込み着信通知方法。
【請求項８】
前記加入者サーバが、前記発呼のIP信号を前記IP変換装置またはホームゲートウェイ装置へ送信するステップにおいて、
割込み着信通知音の出力指示をさらに含む前記割込み着信のIP信号を送信し、
前記IP変換装置またはホームゲートウェイ装置は、前記割込み着信のIP信号を受信したとき、前記IP信号の接続先番号の着端末に、前記割込み着信通知音を送信するステップを実行することを特徴とする請求項７に記載の割込み着信通知方法。
【請求項９】
前記加入者サーバから前記発信者番号の表示指示および前記割込み着信通知音の出力指示を含む前記割込み着信のIP信号を受信した前記ホームゲートウェイ装置が、
前記割込み着信のIP信号に含まれる前記発信者番号の表示指示に基づき、自身の表示部に当該発信者番号を表示するステップと、
前記割込み着信のIP信号に含まれる前記割込み着信通知音の出力指示に基づき、自身の音声出力部により前記割込み着信の通知音を出力するステップとを実行することを特徴とする請求項８に記載の割込み着信通知方法。
【請求項１０】
発端末から発呼のIP信号を受け付けた場合において、このIP信号の宛先である着端末が通話中であるとき、前記着端末へ、前記発端末の番号である発信者番号を通知する割込み着信通知システムにおいて、前記割込み着信通知システムにより発信者番号の通知を受ける着端末の接続先番号を示した契約者情報を記憶する記憶部と、前記発端末から受信した発呼のIP信号を、前記IP信号に示される接続先番号に基づき、前記着端末である、前記IP網内の端末、または、前記IP網とPSTNとの間を接続するゲートウェイ装置経由で前記PSTNの端末へ送信し、ルーチング処理を行うルーチング部とを備える加入者サーバが、
前記発呼のIP信号の接続先番号の着端末が他の端末と通話中である場合において、前記受信した発呼のIP信号の接続先番号が、前記契約者情報に示される接続先番号であり、かつ、前記発呼のIP信号に発信者番号の通知を許可する識別子が付与されているか否かを判断するステップと、
前記受信した前記発呼のIP信号の接続先番号が、前記契約者情報に示される接続先番号であり、かつ、前記発呼のIP信号に発信者番号の通知を許可する識別子が付与されていると判断されたとき、前記着端末に接続されるIP変換装置またはホームゲートウェイ装置へ、当該発信者番号の表示指示および前記割込み着信の通知音の出力指示を含む割込み着信のIP信号を送信するステップとを実行し、
前記IP変換装置またはホームゲートウェイ装置が、
前記割込み着信の着端末に、前記割込み着信のIP信号に含まれる発信者番号を表示させる信号を、前記着端末に送信するステップと、
前記割込み着信のIP信号の接続先番号の着端末に、前記割込み着信の通知音を送信させるIP信号を、メディアサーバに送信するステップとを実行し、
前記メディアサーバが、
前記IP信号に基づき、前記着端末へ、前記割込み着信の通知音を送信するステップを実行することを特徴とする割込み着信通知方法。
【発明の詳細な説明】
【技術分野】
【０００１】
本発明は、割込み着信通知システムをIP（Internet Protocol）網で提供するものである。
【背景技術】
【０００２】
従来、通話中に、割込みで電話をかけてきた相手の電話番号を電話機等のディスプレイに表示する割込み電話番号通知サービスがある。このサービスは、（１）通話中に割込みで電話をかけてきたことを通知する割込み電話通知サービスと、（２）電話をかけてきた相手の電話番号を電話機のディスプレイに表示する着信電話番号通知サービスとを合わせたサービスである（非特許文献１参照）。
【先行技術文献】
【非特許文献】
【０００３】
【非特許文献１】キャッチホンディスプレイサービス、[online]、[平成22年5月20日検索]、インターネット、＜URL：http://web116.jp/shop/benri/catd/catd_00.html＞
【発明の概要】
【発明が解決しようとする課題】
【０００４】
しかし、この割込み電話通知サービスをIP網で提供する技術については、検討されていなかった。そこで、本発明は、前記した課題を解決し、IP網で割込み電話通知サービスを提供することを目的とする。
【課題を解決するための手段】
【０００５】
前記した課題を解決するため、請求項１に記載の発明は、発端末から発呼のIP信号を受け付けた場合において、このIP信号の宛先である着端末が他の端末と通話中であるとき、着端末へ、発端末の番号である発信者番号を通知する割込み着信通知システムにおける加入者サーバであって、割込み着信があったとき、その割込み着信の発信者番号の通知を受ける着端末の接続先番号を示した契約者情報を記憶する記憶部と、発端末から受信した発呼のIP信号を、IP信号に示される接続先番号に基づき、着端末である、IP網内の端末、または、IP網とPSTNとの間を接続するゲートウェイ装置経由でPSTNの端末へ送信し、ルーチング処理を行うルーチング部と、発呼のIP信号の接続先番号の着端末が他の端末と通話中である場合において、受信した発呼のIP信号の接続先番号が、契約者情報に示される接続先番号であり、かつ、発呼のIP信号に発信者番号の通知を許可する識別子が付与されているか否かを判断する割込み着信処理部と、受信した発呼のIP信号の接続先番号が、契約者情報に示される接続先番号であり、かつ、発呼のIP信号に発信者番号の通知を許可する識別子が付与されていると判断されたとき、着端末に接続されるIP変換装置またはホームゲートウェイ装置へ、当該発信者番号の表示指示を含む割込み着信のIP信号を送信する割込み着信指示部とを備える加入者サーバとした。
【０００６】
請求項７に記載の発明は、発端末から発呼のIP信号を受け付けた場合において、このIP信号の宛先である着端末が通話中であるとき、着端末へ、発端末の番号である発信者番号を通知する割込み着信通知システムにおいて、割込み着信通知システムにより発信者番号の通知を受ける着端末の接続先番号を示した契約者情報を記憶する記憶部と、発端末から受信した発呼のIP信号を、IP信号に示される接続先番号に基づき、着端末である、IP網内の端末、または、IP網とPSTNとの間を接続するゲートウェイ装置経由でPSTNの端末へ送信し、ルーチング処理を行うルーチング部とを備える加入者サーバが、発呼のIP信号の接続先番号の着端末が他の端末と通話中である場合において、受信した発呼のIP信号の接続先番号が、契約者情報に示される接続先番号であり、かつ、発呼のIP信号に発信者番号の通知を許可する識別子が付与されているか否かを判断するステップと、受信した発呼のIP信号の接続先番号が、契約者情報に示される接続先番号であり、かつ、発呼のIP信号に発信者番号の通知を許可する識別子が付与されていると判断されたとき、着端末に接続されるIP変換装置またはホームゲートウェイ装置へ、当該発信者番号の表示指示を含む割込み着信のIP信号を送信するステップとを実行し、IP変換装置またはホームゲートウェイ装置が、割込み着信のIP信号を受信したとき、IP信号の接続先番号の着端末に、IP信号に含まれる発信者番号を表示させる信号を送信するステップを実行することを特徴とする割込み着信通知方法とした。
【０００７】
このようにすることで、割込み着信通知システムは、IP網またはPSTNの発端末から発呼のIP信号を受け付けた場合において、このIP信号の宛先である着端末が通話中であるとき、この着端末へ、割込み着信の発信者番号を通知することができる。
【０００８】
請求項２に記載の発明は、請求項１に記載の加入者サーバにおける割込み着信指示部が、割込み着信通知音の出力指示をさらに含む前記割込み着信のIP信号を前記IP変換装置またはホームゲートウェイ装置へ送信することを特徴とする。
【０００９】
請求項８に記載の発明は、請求項７に記載の割込み着信通知方法の加入者サーバが、発呼のIP信号をIP変換装置またはホームゲートウェイ装置へ送信するステップにおいて、割込み着信通知音の出力指示をさらに含む割込み着信のIP信号を送信し、IP変換装置またはホームゲートウェイ装置は、割込み着信のIP信号を受信したとき、IP信号の接続先番号の着端末に、割込み着信通知音を送信するステップを実行することを特徴とする。
【００１０】
このようにすることで、割込み着信通知システムは、IP網またはPSTNの発端末から発呼のIP信号を受け付けた場合において、このIP信号の宛先である着端末が通話中であるとき、この着端末への割込み着信があったことを着信通知音で通知できる。
【００１１】
請求項３に記載の発明は、請求項２に記載の割込み着信通知システムにおけるIP変換装置であって、自身に接続される端末のフッキングを検出するフッキング検出部と、フッキング検出部により、割込み着信の着端末のフッキングが検出されたとき、当該着端末と他の端末との間に確立されていた通話パスを、割込み着信の発端末との通話パスへ切り替える通話パス切り替え部と、通話パスの切り替え後、当該他の端末へ保留音を送信する保留音送信部とを備えることを特徴とする。また、請求項４に記載の発明は、請求項２に記載の加入者サーバから割込み着信のIP信号を受信するホームゲートウェイ装置であって、自身に接続される端末のフッキングを検出するフッキング検出部と、フッキング検出部により、割込み着信の着端末のフッキングが検出されたとき、当該着端末と他の端末との間に確立されていた通話パスを、割込み着信の発端末との通話パスへ切り替える通話パス切り替え部と、通話パスの切り替え後、当該他の端末へ保留音を送信する保留音送信部とを備えることを特徴とする。
【００１２】
このようにすることで、割込み着信通知システムは、割込み着信の着端末のフッキングを検出したとき、通話パスを、割込み着信の発端末へ切り替えることができる。つまり、割込み着信の着端末は、フッキングにより、割込み着信の発端末と通話可能な状態になる。
【００１３】
請求項５に記載の発明は、請求項１または請求項２に記載の加入者サーバと、この加入者サーバからの割込み着信のIP信号を受信するIP変換装置またはホームゲートウェイ装置とを含んでなることを特徴とする割込み着信通知システムとした。
【００１４】
このようにすることで、請求項１または請求項２に記載の加入者サーバを含む割込み着信通知システムを実現することができる
【００１５】
請求項６に記載の発明は、請求項１または請求項２に記載の加入者サーバと、請求項３に記載のIP変換装置または請求項４に記載のホームゲートウェイ装置とを含んでなることを特徴とする割込み着信通知システムとした。
【００１６】
このようにすることで、請求項１または請求項２に記載の加入者サーバと、請求項３に記載のIP変換装置または請求項４に記載のホームゲートウェイ装置とを含む割込み着信通知システムを実現することができる。
【００１７】
請求項９に記載の発明は、請求項８に記載の割込み着信通知方法において、割込み着信のIP信号の接続先番号の着端末が、ホームゲートウェイ装置に接続されているとき、加入者サーバが、発信者番号の表示指示および割込み着信通知音の出力指示を含む割込み着信のIP信号を、着端末に接続されるホームゲートウェイ装置へ送信するステップを実行し、ホームゲートウェイ装置は、割込み着信のIP信号に含まれる発信者番号の表示指示に基づき、自身の表示部に当該発信者番号を表示するステップと、割込み着信のIP信号に含まれる割込み着信通知音の出力指示に基づき、自身の音声出力部により割込み着信の通知音を出力するステップとを実行することを特徴とする。
【００１８】
このようにすることで、割込み着信通知システムは、着端末のホームゲートウェイ装置に割込み着信の発信者番号を表示させ、割込み着信の通知音を出力させることができる。これにより、ホームゲートウェイ装置から着端末への割込み着信音の出力や、モデム信号による発信者番号の出力が不要となる。よって、着端末への割込み着信により、この着端末と通話中の他の端末（割り込まれた端末）との通話音が、断続的に無音となってしまうことを避けることができる。また、着端末がファックス機能を備える場合、着端末への割込み着信により、ファックスの画像等が乱れるのを避けることができる。
【００１９】
請求項１０に記載の発明は、発端末から発呼のIP信号を受け付けた場合において、このIP信号の宛先である着端末が通話中であるとき、着端末へ、発端末の番号である発信者番号を通知する割込み着信通知システムにおいて、割込み着信通知システムにより発信者番号の通知を受ける着端末の接続先番号を示した契約者情報を記憶する記憶部と、発端末から受信した発呼のIP信号を、IP信号に示される接続先番号に基づき、着端末である、IP網内の端末、または、IP網とPSTNとの間を接続するゲートウェイ装置経由でPSTNの端末へ送信し、ルーチング処理を行うルーチング部とを備える加入者サーバが、発呼のIP信号の接続先番号の着端末が他の端末と通話中である場合において、受信した発呼のIP信号の接続先番号が、契約者情報に示される接続先番号であり、かつ、発呼のIP信号に発信者番号の通知を許可する識別子が付与されているか否かを判断するステップと、受信した発呼のIP信号の接続先番号が、契約者情報に示される接続先番号であり、かつ、発呼のIP信号に発信者番号の通知を許可する識別子が付与されていると判断されたとき、着端末に接続されるIP変換装置またはホームゲートウェイ装置へ、当該発信者番号の表示指示および割込み着信の通知音の出力指示を含む割込み着信のIP信号を送信するステップとを実行し、IP変換装置またはホームゲートウェイ装置が、割込み着信の着端末に、割込み着信のIP信号に含まれる発信者番号を表示させる信号を、着端末に送信するステップと、割込み着信のIP信号の接続先番号の着端末に、割込み着信の通知音を送信させるIP信号を、メディアサーバに送信するステップとを実行し、メディアサーバが、IP信号に基づき、着端末へ、割込み着信の通知音を送信するステップを実行することを特徴とする。
【００２０】
このように、割込み着信通知システムのメディアサーバが、割込み着信の通知音を出力するので、IP変換装置それぞれが割込み着信の通知音を出力する必要がなくなる。
【発明の効果】
【００２１】
本発明によれば、IP網で割込み着信通知サービスを提供できる。
【図面の簡単な説明】
【００２２】
【図１】第１の実施の形態の割込み着信通知システムの構成例を示した図である。
【図２】図１の加入者サーバおよびIP変換装置の構成例を示した図である。
【図３】図１の割込み着信通知システムの処理手順を示したシーケンス図である。
【図４】第２の実施の形態の割込み着信通知システムの構成例を示した図である。
【図５】図４の加入者サーバ、IP変換装置およびメディアサーバの構成例を示した図である。
【図６】第２の割込み着信通知システムの処理手順を示したシーケンス図である。
【図７】第３の実施の形態の割込み着信通知システムの構成例を示した図である。
【図８】図７のエッジルータおよびホームゲートウェイの構成例を示した図である。
【図９】図１の割込み着信通知システムにおいて、IP網の端末同士が通話中に、PSTNの端末からの割込み着信を受け付けたときの処理例を示した図である。
【図１０】図１の割込み着信通知システムにおいて、PSTNの端末同士が通話中に、IP網の端末からの割込み着信を受け付けたときの処理例を示した図である。
【発明を実施するための形態】
【００２３】
本発明の実施の形態を、第１の実施の形態から第３の実施の形態に分けて説明する。なお、以下の説明において、IP網の装置間でやりとりされる発呼の信号のプロトコルは、SIP（Session Initiation Protocol）である場合を例に説明するが、これに限定されない。例えば、ＭＥＧＡＣＯ、ＭＧＣＰ、Ｈ．３２３等であってもよい。
【００２４】
まず、第１の実施の形態の割込み着信通知システムを説明する。第１の実施の形態の割込み着信通知システムにおいて、割込み着信通知サービスの契約者の端末８０Ｂ（端末８０Ｄ）も、この端末８０Ｂの通話相手の端末８０Ｃも、契約者の端末８０Ｂへの割込み者の端末８０ＡもIP網の端末とする。
【００２５】
図１を用いてシステムの全体構成と、処理概要を説明する。システムは、端末８０（端末８０Ａ，８０Ｂ，８０Ｃ）と、IP変換装置４０（４０Ａ，４０Ｂ，４０Ｃ）と、加入者サーバ３０（３０Ａ，３０Ｂ，３０Ｃ）と、中継サーバ２０（２０Ａ，２０Ｂ）とを備える。なお、図１のエッジルータ５０およびホームゲートウェイ６０については後記する。
【００２６】
端末８０は、アナログ回線またはＩＳＤＮ（Integrated Services Digital Network）回線に接続される端末であり、この回線を介してダイヤル番号を含む発呼の送信や、発呼の着信を受け付ける。また、IP変換装置４０からの指示に基づき、端末８０の表示部（図示省略。例えば、ディスプレイ等）に通話相手の端末の発信者番号（発信者ＩＤ）や割込み者の端末の発信者番号を表示する。また、音声出力部（図示省略）に着信（割込み着信を含む）通知音等を出力する。
【００２７】
IP変換装置４０は、端末８０で用いる信号とIP信号とのプロトコル変換を行う装置である。また、加入者サーバ３０から受信した信号に基づき、端末８０に発信者ＩＤを表示させたり、端末８０に着信（割込み着信を含む）通知音等を出力させたりする。これにより、着端末の利用者は、どの発信者ＩＤの端末８０から割込み着信があったかを知ることができる。さらに、発端末と着端末との間に通話パスを確立した後、割込み着信があったとき、この通話パスを、この割込み着信の発端末との通話パスに切り替える。これにより、着端末の利用者は割込み者の端末８０と通話できる。
【００２８】
中継サーバ２０（２０Ａ，２０Ｂ）は、加入者サーバ３０からのIP信号を中継する装置である。加入者サーバ３０は、IP変換装置４０からの発呼のIP信号（例えば、SIPのINVITE）を受け付けると、このIP信号を着側の加入者サーバ３０へ転送する。また、他の加入者サーバ３０から、発呼のIP信号を受信すると、このIP信号を接続先番号の端末８０（着端末）を収容するIP変換装置４０へ転送する。
【００２９】
ここでは、端末８０Ｂ，８０Ｃ間が通話中（第一呼通話中）である場合において、端末８０Ｂが端末８０Ａからの割込み着信（第二呼割込み）を受け付ける場合について説明する。
【００３０】
（１）端末８０Ａが端末８０Ｂの電話番号のダイヤルを受け付けると、端末８０Ａを収容する加入者サーバ３０Ａへ、この電話番号を接続先番号とする発呼のIP信号が送信される。加入者サーバ３０Ａは、端末８０Ａが発信者番号（発信者ＩＤ）の表示を許可している端末か否か（非通知端末か通知端末か）を判断する。そして、その端末８０Ａが非通知端末か通知端末かを示す番号通知識別子と、発信者番号（発信者ＩＤ）とを含む発呼のIP信号を、端末８０Ｂが収容されている加入者サーバ３０Ｂ（着側の加入者サーバ３０）へ送信する。
【００３１】
（２）発呼のIP信号を受信した加入者サーバ３０Ｂは、この発呼が割込み着信か否かを判断する。つまり、加入者サーバ３０Ｂは、このIP信号の接続先番号から、着端末が割込み着信通知サービスの契約者の端末８０か否かを判断する（契約者確認）。また、このIP信号に含まれる番号通知識別子により、発端末が通知端末であることを確認する（番号通知識別子確認）。ここで、着端末が割込み着信通知サービスの契約者の端末８０であり、かつ、発端末が通知端末であることが確認できると、この発呼が割込み着信であると判断する。そして、（３）加入者サーバ３０Ｂは、IP変換装置４０へ割込み着信指示（割込み着信通知音を送信し、発信者ＩＤの通知指示を送信）をする。
【００３２】
（４−Ａ）IP変換装置４０Ｂは、割込み者の着端末（端末８０Ｂ）に割込み着信通知音を送信し、発信者ＩＤをモデム信号で通知する。（５）端末８０Ｂは、このモデム信号に基づき、割込み着信の発信者ＩＤをディスプレイ等に表示する。
【００３３】
（６−Ａ）IP変換装置４０Ｂは、着端末（端末８０Ｂ）のフッキングを検出すると、通話パスを、割込み者の端末８０Ａとの通話パスに切り替え、通話相手の端末８０Ｃへ保留音を送信する。
【００３４】
このようにすることで、契約者の端末８０Ｂは、割込み着信とその割込み着信の発信者ＩＤとを、契約者に通知できる。また、契約者の端末８０Ｂのフッキングにより、端末８０Ｂは、割込み者の端末８０Ａと通話可能な状態となる。
【００３５】
次に、このような割込み着信通知システムの加入者サーバ３０と、IP変換装置４０の詳細を、図２を用いて説明する。
【００３６】
＜加入者サーバ＞
加入者サーバ３０は、図２に示すように、ルーチング部３１と、番号通知識別子通知部３２と、割込み着信処理部３３と、割込み着信指示部３４とを備える。また、加入者サーバ３０は、記憶部（図示省略）に、契約者情報３５と、番号通知許可端末情報３６とを記憶する。まず、契約者情報３５を説明する。
【００３７】
契約者情報３５は、割込み着信システムの契約者の端末８０の電話番号（契約者ＩＤ）を示した情報である。つまり、割込み着信の発信者ＩＤの通知を受ける着端末の電話番号を示した情報である（表１参照）。
【００３８】
【表１】
2011250036.tif 000003
【００３９】
番号通知許可端末情報３６は、端末８０の発信者ＩＤごとに、当該端末からの発呼について着端末への発信者ＩＤの通知をする端末か否かを示した情報である（表２参照）。
【００４０】
【表２】
2011250036.tif 000004
【００４１】
ルーチング部３１は、発端末から受信した発呼のIP信号を、このIP信号に示される接続先番号の着端末へ送信するルーチング処理を行う。
【００４２】
番号通知識別子通知部３２は、自身の加入者サーバ３０に接続されるIP変換装置４０から発呼のIP信号を受信したとき、番号通知許可端末情報３６を参照して、そのIP信号の発端末が発信者ＩＤの通知を許可している端末か否か（非通知端末か通知端末か）を判断する。そして、その判断結果（発端末が非通知端末か通知端末か）を示す番号通知識別子を、発呼のIP信号に付して、中継サーバ２０経由で、他の加入者サーバ３０へ送信する。なお、受信した発呼のIP信号に、ユーザ指定の発信者ＩＤの通知／非通知を示す識別子が付されている場合、番号通知識別子通知部３２は、この番号通知許可端末情報３６よりも、この識別子を優先して、表示を許可している端末か否か（非通知端末か通知端末か）を判断する。例えば、受信した発呼のIP信号に、発信者ＩＤの通知を示す番号「１８６」が含まれていれば、番号通知許可端末情報３６において、この発端末が「非通知端末」だとしても、番号通知識別子通知部３２は、発端末が通知端末であると判断する。そして、その判断結果（発端末が通知端末であること）を示す番号通知識別子を、発呼のIP信号に付して、中継サーバ２０経由で、他の加入者サーバ３０へ送信する。
【００４３】
割込み着信処理部３３は、発呼のIP信号の接続先番号の着端末が他の端末と通話中である場合、この接続先番号が、契約者情報３５に示される接続先番号であるかを判断する。つまり、受信した発呼のIP信号が、契約者情報３５に示される端末８０への割込み着信の発呼か否かを判断する。また、この受信した発呼のIP信号に発端末が通知端末であることを示す通知識別子が付与されているか否かを判断する。すなわち、割込み着信処理部３３は、受信した発呼のIP信号が、割込み着信通知システムの契約者の端末８０への割込み着信であり、かつ、その割込み着信の発端末が通知端末か否かを判断する。
【００４４】
割込み着信指示部３４は、割込み着信処理部３３により、受信した発呼のIP信号が、契約者の端末８０への割込み着信であり、かつ、その割込み着信の発端末が通知端末である判断されたとき、以下の処理を行う。すなわち、割込み着信指示部３４は、着端末に接続されるIP変換装置４０へ、割込み着信通知音の送信指示（割込み着信通知）および当該発信者番号の表示指示を含む発呼のIP信号を送信する。割込み着信指示部３４が送信する発呼のIP信号がSIPである場合、例えば、SIPのヘッダ部分に以下の内容をマッピングすることで実現可能である。なお、割込み着信指示部３４は、前記発呼のIP信号をIP変換装置４０へ送信するとき当該発信者番号の表示指示を送信し、割込み着信通知音の送信指示を送信しないようにしてもよい。
番号通知識別子：Privacy
発信者ＩＤ：P-Asserted-Identity
割込み着信通知音の送信指示：Alert-Info
【００４５】
なお、割込み着信処理部３３により、契約者の端末８０への割込み着信であるが、この割込み着信の発端末が発信者ＩＤの通知を許可していないと判断されたとき、割込み着信指示部３４は、IP変換装置４０へ割込み着信通知を送信し、当該発信者番号の表示指示を送信しないようにする。
【００４６】
＜IP変換装置＞
次に、IP変換装置４０を説明する。IP変換装置４０は、IP変換部４１と、通話パス確立部４２と、割込み着信通知音送信部４３と、発信者番号通知部４４と、フッキング検出部４５と、通話パス切り替え部４６と、保留音送信部４７とを備える。
【００４７】
IP変換部４１は、端末８０で用いる信号と、IP信号とのプロトコル変換を行う。例えば、IP変換部４１は、端末８０から送信された発呼の信号を、発呼のIP信号に変換し、加入者サーバ３０へ送信する。また、加入者サーバ３０から送信された発呼のIP信号を、端末８０で用いる信号に変換して、端末８０へ送信する。
【００４８】
通話パス確立部４２は、発呼のIP信号の接続先番号の端末８０（着端末）からの応呼があったとき、発端末と、この着端末との間に通話パスを確立する。これにより、発端末と着端末とが通話可能な状態になる。
【００４９】
割込み着信通知音送信部４３は、加入者サーバ３０から割込み着信通知音の出力指示を含む発呼のIP信号を受信したとき、このIP信号の接続先番号の端末８０（着端末）に割込み着信通知音を送信する。ここでの割込み着信通知音の送信は、例えば、当該IP変換装置４０に搭載される音源等により行う。
【００５０】
発信者番号通知部４４は、発信者ＩＤの表示指示を含む発呼のIP信号を受信したとき、IP信号の接続先番号の着端末に、発信者ＩＤを表示させる信号を送信する。つまり、発信者番号通知部４４は、着端末のディスプレイ等に、割込み着信の発信者ＩＤを表示させる。ここでの発信者ＩＤを表示させる信号の送信は、例えば、IP変換装置４０に搭載されるモデムからのモデム信号等により行う。
【００５１】
フッキング検出部４５は、着端末のフッキングを検出する。
【００５２】
通話パス切り替え部４６は、フッキング検出部４５により、着端末のフッキングが検出されたとき、当該着端末と他の端末との間に確立されていた通話パスを、割込み着信の発端末との通話パスへ切り替える。
【００５３】
保留音送信部４７は、通話パス切り替え部４６により、割込み着信の発端末との通話パスへ切り替えられた後、この通話パスが確立されていた他の端末８０（通話相手の端末８０）へ保留音を送信する。
【００５４】
なお、以下に説明する、各サーバ、装置、ゲートウェイは、ＣＰＵ（Central Processing Unit）によるプログラム実行処理や、専用回路等により実現される。さらに、各サーバ、装置、ゲートウェイそれぞれの記憶部（図示省略）は、ＲＡＭ（Random Access Memory）、ＲＯＭ（Read Only Memory）、ＨＤＤ（Hard Disk Drive）、フラッシュメモリ等の記憶媒体から構成される。なお、プログラム実行処理により実現する場合、記憶部には、この各サーバ、装置、ゲートウェイの機能を実現するためのプログラムが格納される。
【００５５】
＜処理手順＞
次に、適宜図２を参照しつつ、図１の割込み着信通知システムの処理手順を、図３を用いて説明する。
【００５６】
まず、契約者の端末８０Ｂと、通話相手の端末８０Ｃとが通話中である場合において（Ｓ１）、割込み者の端末８０Ａに接続されるIP変換装置４０Ａが、端末８０Ａのオフフックを検出すると（Ｓ２）、端末８０ＡへＤＴ（ダイヤルトーン）を送信する（Ｓ３）。そして、IP変換装置４０Ａが、端末８０Ａからのダイヤルを受け付けると（Ｓ４）、IP変換装置４０ＡのIP変換部４１（図２参照）により、このダイヤルを、このダイヤルの示す接続先番号の端末８０（端末８０Ｂ）への接続要求（発呼のIP信号）に変換し、加入者サーバ３０Ａへ送信する（Ｓ５）。加入者サーバ３０Ａのルーチング部３１は、発端末から受信した接続要求のルーチング処理を行い、この接続要求を中継サーバ２０経由で、着端末に接続される加入者サーバ３０Ｂへ送信する（Ｓ６，Ｓ７）。ここで、加入者サーバ３０Ａの番号通知識別子通知部３２は、番号通知許可端末情報３６を参照して、受信した接続要求の発端末（端末８０Ａ）が非通知端末か通知端末かを判断する。そして、受信した接続要求に、非通知端末か通知端末かの判断結果である番号通知識別子と、発信者ＩＤとを付して、この中継サーバ２０経由で着端末へ向けて転送する。この接続要求を受信した加入者サーバ３０Ｂは、接続要求を、着端末を収容するIP変換装置４０Ｂへ送信する（Ｓ８）。このとき、加入者サーバ３０Ｂの割込み着信処理部３３は、受信した接続要求の着端末が、契約者情報３５に示される接続先番号の端末であり、かつ、この接続要求に発信者ＩＤの通知を許可する識別子が付与されていることを確認すると、割込み着信指示部３４により、IP変換装置４０Ｂへ、割込み着信指示を含む接続要求を送信する。つまり、割込み着信指示部３４は、IP変換装置４０Ｂへ、割込み着信通知音の送信指示および発信者ＩＤの通知(表示）指示（割込み着信指示）を含む接続要求を送信する。
【００５７】
このような割込み着信指示を含む接続要求を受信したIP変換装置４０Ｂは、割込み着信通知音送信部４３により、着端末へ割込み着信通知音（割込み着信音）を送信する（Ｓ９）。なお、端末８０Ｂ，８０Ｃ間が通話中であるときに、端末８０Ｂに割込み着信音が送信されると、端末８０Ｃが受信する通話音は断続無音になる。
【００５８】
IP変換装置４０Ｂは、割込み着信音を端末８０Ｂへ送信すると、この端末８０Ｂを呼び出し中であることを伝えるIP信号を、割込み着信の発端末（端末８０Ａ）を収容するIP変換装置４０Ａへ送信する（Ｓ１０，Ｓ１１，Ｓ１２，Ｓ１３）。そして、このIP信号を受信したIP変換装置４０Ａは、端末８０ＡへＲＢＴ（リングバックトーン）を送信する（Ｓ１４）。これにより、IP変換装置４０Ｂは、割込み着信の発端末である端末８０Ａへ、端末８０Ｂを呼び出し中であることを伝えることができる。また、IP変換装置４０Ｂは、Ｓ８で接続要求を受信すると、端末８０Ｂへ発信者ＩＤの出力指示を送信する。つまり、IP変換装置４０Ｂは、端末８０Ｂへ割込み着信の発信者ＩＤを通知する（Ｓ１５）。
【００５９】
その後、IP変換装置４０Ｂのフッキング検出部４５により、端末８０Ｂのフッキングを検出すると（Ｓ１６）、IP変換装置４０Ｂは、Ｓ８で受信した接続要求の応答（要求応答）を、IP変換装置４０Ａへ送信する（Ｓ１７，Ｓ１８，Ｓ１９，Ｓ２０）。そして、IP変換装置４０Ｂの保留音送信部４７は、通信相手の端末８０Ｃへ保留音を送信する（Ｓ２１）。そして、IP変換装置４０Ｂの通話パス切り替え部４６は、端末８０Ｂ，８０Ｃ間の通話パスを、割込み者の端末８０Ａとの通話パスに切り替え、端末８０Ｂ，８０Ａを通話可能な状態とする（Ｓ２２の“通話中”）。
【００６０】
このような割込み着信通知システムによれば、IP網においても割込み着信通知サービスを提供できる。
【００６１】
＜第２の実施の形態＞
次に、本発明の第２の実施の形態を説明する。第２の実施の形態の割込み着信通知システムは、図４に示すように、メディアサーバ７０を備える。このメディアサーバ７０は、システム内の各加入者サーバ３０と接続され、割込み着信通知サービスの契約者の着端末への割込み着信通知音の送信や、この着端末の通話相手の端末８０Ｃへの保留音の送信を行う。これにより、IP変換装置４００が、割込み着信音の送信や、通話相手の端末８０への保留音の送信を行う必要がなくなる。前記した実施の形態と同様の構成要素は、同じ符号を付して説明を省略する。なお、エッジルータ５０およびホームゲートウェイ６０の説明は後記する。
【００６２】
例えば、図４に示すように割込み者の端末８０Ａからの割込み着信があったとき、IP変換装置４００は、加入者サーバ３０経由でメディアサーバ７０に対し、着端末への割込み着信音の送信指示を行う。そして、着端末が割込み者の端末８０へ通話パスを切り替えたとき、IP変換装置４００は、加入者サーバ３０経由でメディアサーバ７０へ、通話相手の端末８０Ｃへの保留音の送信を指示する。
【００６３】
図５を用いて、第２の実施の形態の割込み着信通知システムにおけるIP変換装置４００とメディアサーバ７０を詳細に説明する。IP変換装置４００は、図５に示すように、割込み着信通知音送信部４３（図２参照）に代えて、メディアサーバ指示部４８を備える。このメディアサーバ指示部４８は、メディアサーバ７０に対し、割込み着信の着端末への割込み着信通知音の送信（出力）指示を行う。また、フッキング検出部４５により、着端末のフッキングを検出すると、メディアサーバ７０に対し、この着端末の通話相手の端末８０Ｃへの保留音の送信を指示する。
【００６４】
また、メディアサーバ７０は、IP変換装置４００からの指示に従い、割込み着信の着端末への割込み着信通知音を送信する割込み着信通知音送信部４３と、フッキング検出後、この着端末の通話相手の端末８０Ｃへ保留音を送信する保留音送信部４７とを備える。
【００６５】
このような割込み着信通知システムの処理手順を、適宜図５を参照しつつ、図６を用いて、説明する。Ｓ８１〜Ｓ８８までは、Ｓ１〜Ｓ８と同様の処理なので説明を省略し、Ｓ８９から説明する。Ｓ８８の後、IP変換装置４００Ｂのメディアサーバ指示部４８（図５参照）は、端末８０Ｂとのパス接続指示と、端末８０Ｂへの割込み着信通知音（割込み着信音）送信指示とをメディアサーバ７０へ送信する（Ｓ８９）。このような指示を受信したメディアサーバ７０は、端末８０Ｂとの間にパスを確立する。そして、メディアサーバ７０の割込み着信通知音送信部４３は、このパスにより、端末８０Ｂへ割込み着信音を送信する（Ｓ９０）。その後のＳ９１〜Ｓ１０１は、Ｓ１０〜Ｓ２０と同様なので説明を省略する。
【００６６】
Ｓ１０２において、IP変換装置４００Ｂのメディアサーバ指示部４８は、メディアサーバ７０へ、端末８０Ｃへのパス接続指示と、保留音送信指示とを送信する。そして、この指示を受信したメディアサーバ７０の保留音送信部４７は、端末８０Ｃとの間にパスを確立し、そのパスを用いて保留音を送信する（Ｓ１０３）。Ｓ１０４は、Ｓ２２と同様なので説明を省略する。
【００６７】
このようにすることで、割込み着信通知システムは、メディアサーバ７０により、契約者の端末８０への割込み着信音の送信や、割込み着信により割り込まれた利用者の端末８０への保留音の送信を行うことができる。よって、IP変換装置４００が、割込み着信の送信や、保留音の送信を行う必要がなくなる。
【００６８】
なお、前記した第１の実施の形態および第２の実施の形態の割込み着信通知システム網において、端末８０と加入者サーバ３０とをエッジルータ５０およびホームゲートウェイ６０経由で接続してもよい（図１および図４参照）。このホームゲートウェイ６０は、端末８０の設置される宅内等に置かれる装置であり、IP変換装置４０と同様、端末８０で用いる信号とIP信号とのプロトコル変換を行う装置である。ホームゲートウェイ６０は、IP変換装置４０と同様にIP変換部４１と、通話パス確立部４２と、割込み着信通知音送信部４３と、発信者番号通知部４４と、フッキング検出部４５と、通話パス切り替え部４６と、保留音送信部４７とを備える。そして、エッジルータ５０経由で加入者サーバ３０と、発呼のIP信号等の送受信を行う。なお、このようにホームゲートウェイ６０による割込み着信通知音の送信は、例えば、当該ホームゲートウェイ６０に搭載される音源等により行う。また、発信者ＩＤを表示させる信号の送信は、例えば、ホームゲートウェイ６０に搭載されるモデムからのモデム信号等により行う。
【００６９】
＜第３の実施の形態＞
次に、本発明の第３の実施の形態を説明する。第３の実施の形態の割込み着信通知システムは、図７に示すように、ホームゲートウェイ６００を備える。このホームゲートウェイ６００は、加入者サーバ３０からのIP信号による指示に基づき、割込み着信通知音を出力（鳴動）させたり（図７の（４））、割込み着信の発信者ＩＤを表示したりする（図７の（５））。つまり、自身に接続される端末８０への割込み着信があったとき、ホームゲートウェイ６００は、自身の備える音声出力部６２（後記）により割込み着信音を出力したり、自身の備える表示部６１（後記）により割込み着信の発信者ＩＤを表示したりする。前記した実施の形態と同様の構成要素は、同じ符号を付して説明を省略する。
【００７０】
このようなホームゲートウェイ６００は、図８に示すように、発信者ＩＤを表示する表示部６１（例えば、ディスプレイ）と、着信音等を出力する音声出力部６２とを備える。また、IP変換装置４０の割込み着信通知音送信部４３（図２）に代えて、割込み着信通知音出力処理部６３を備え、発信者番号通知部４４に代えて、発信者番号表示処理部６４を備える。割込み着信通知音出力処理部６３は、自身の収容する端末８０への割込み着信があったとき、音声出力部６２に割込み着信通知音を出力させる。また、発信者番号表示処理部６４は、自身の収容する端末８０への割込み着信があったとき、表示部６１に、割込み着信の発信者ＩＤを表示させる。このようにすることで、ホームゲートウェイ６００は、割込み着信通知音の送信や、モデム信号による発信者ＩＤの必要がなくなるので、割込み着信があったとき、着端末と通話中の通話者の端末８０との間に断続した無音状態が発生することを避けることができる。また、着端末がファックス機能を備える場合、着端末への割込み着信により、ファックスの画像等が乱れるのを避けることができる。
【００７１】
なお、各実施の形態の割込み着信通知システムは、IP網の端末８０同士で通話中にPSTNの端末８０からの割込み着信を受け付けた場合にも、割込み着信の発信者ＩＤの通知等を行うことできる。例えば、第１の実施の形態の割込み着信通知システムにおいて、IP網の端末８０間で通話中にPSTNの端末８０からの割込み着信を受け付けた場合の処理概要を、図９を用いて説明する。ここでは、IP網の端末８０Ｂ，８０Ｃ間で通話中に、PSTNの端末８０Ｅが、端末８０Ｂへの割込み着信を行う場合を例に説明する。
【００７２】
図９に示すように、PSTNは、ＧＣ（県内中継局）１１０、ＩＣ（区域内中継局）１２０、ＩＧＳ（相互接続用関門交換機）１００および端末８０Ｅを備える。IP網とPSTNとの境界には、ＰＳＴＮ−ＧＷ９０が設置される。ＩＧＳ１００は、ＰＳＴＮ−ＧＷ（PSTN関門装置）９０とＩＣ１２０とを相互の接続するための装置である。ＰＳＴＮ−ＧＷ９０は、IP信号とPSTNで用いる信号との相互変換を行い、例えば、SIPの信号をISUPの信号に変換する。
【００７３】
（１）端末８０Ｅが端末８０Ｂの電話番号のダイヤルを受け付けると、端末８０Ｅを収容するＧＣ１１０へ、この電話番号を接続先番号とする発呼信号を送信する。ＧＣ１１０は、端末８０Ｅが発信者ＩＤの表示を許可している端末か否か（非通知端末か通知端末か）を判断する。そして、その端末８０Ｅが非通知端末か通知端末かを示す番号通知識別子と、発信者ＩＤとを含む発呼信号を、ＧＣ１１０、ＩＣ１２０およびＩＧＳ１００経由で、ＰＳＴＮ−ＧＷ９０へ送信する。
【００７４】
（２）ＰＳＴＮ−ＧＷ９０は、受信した番号通知識別子と、発信者ＩＤとを含む発呼信号を、発呼のIP信号（例えば、SIPの信号）に変換して、中継サーバ２０Ａ経由で、加入者サーバ３０Ｂへ送信する。この後の処理は、前記した図１の（２）〜（６−Ａ）と同様なので説明を省略する。なお、（７−Ａ）において、IP変換装置４０は、フッキング検出部４５により、契約者の端末８０Ｂのフッキングを検出すると、通話相手の端末８０Ｃとの通話パスを、ＰＳＴＮ−ＧＷ９０経由で割込み者の端末８０Ｅと通話するための通話パスを切り替える。そして、IP変換装置４０の保留音送信部４７は、通話相手の端末８０Ｃに対し保留音を送信する。
【００７５】
なお、割込み着信通知システムは、PSTNの端末８０同士で通話中にIP網の端末８０からの割込み着信を受け付けた場合にも、割込み着信通知サービスを提供可能である。例えば、第１の実施の形態の割込み着信通知システムにおいて、PSTNの端末８０間で通話中（第一呼通話中）にIP網の端末８０からの割込み着信（第二呼割込み着信）を受け付けた場合の処理概要を、図１０を用いて説明する。ここでは、PSTN網の端末８０Ｅ，８０Ｆ間の通話中に、IP網の端末８０Ｃが、端末８０Ｅへの割込み着信を行う場合を例に説明する。
【００７６】
（１）端末８０Ｃが、PSTNの端末８０Ｅの電話番号のダイヤルを受け付けると、IP変換装置４０Ｂ（または、図１，４，７のホームゲートウェイ６０およびエッジルータ５０経由で）加入者サーバ３０Ｂへ、この電話番号を接続先番号とする発呼のIP信号を送信する。加入者サーバ３０Ｂは、図１の場合と同様に、発端末である端末８０Ｃが発信者ＩＤの表示を許可している端末であることを確認すると、その旨を示す番号通知識別子と発信者ＩＤとを含む発呼のIP信号（例えば、SIPの信号）をＰＳＴＮ−ＧＷ９０へ送信する。
【００７７】
（２）ＰＳＴＮ−ＧＷ９０は、受信した番号通知識別子と、発信者ＩＤとを含む発呼のIP信号を、PSTNの信号（例えば、ISUP）に変換して、ＩＧＳ１００、ＩＣ１２０Ｂ経由で、端末８０Ｅを収容するＧＣ１１０Ｂへ送信する。
【００７８】
（３）ＧＣ１１０Ｂは、ＩＣ１２０Ｂ経由で番号通知識別子と、発信者ＩＤとを含む割込み着信の発呼信号を受信すると、この発呼が割込み着信か否かの判断を行う。すなわち、ＧＣ１１０Ｂは、まず、自身の備える契約者情報をもとに着端末が契約者の端末８０であることを確認する。さらに、ＧＣ１１０Ｂは、この発呼信号に含まれる番号通知識別子が、発信者ＩＤの表示の許可を示すものであることを確認すると、この発呼信号が割込み着信の発呼であると判断する。そして、（４）ＧＣ１１０Ｂは、端末８０Ｅへ割込み着信通知音を送信し、発信者ＩＤを通知する。また、（５）端末８０Ｅは、この発信者ＩＤの通知を受信して、発信者ＩＤを表示する。その後、ＧＣ１１０Ｂは、端末８０Ｅのフッキングを検出すると、端末８０Ｅの通話パスを端末８０Ｃに切り替え、通話相手の端末８０Ｆへ保留音を送信する。
【００７９】
このように割込み着信通知システムは、PSTNの端末８０同士で通話中にIP網の端末８０からの割込み着信を受け付けた場合にも、割込み着信通知サービスを提供可能である。
【００８０】
なお、前記した各実施の形態の割込み着信通知システムは、着端末に、割込み着信の発信者ＩＤを通知し、割込み着信通知音の送信、着端末のフッキング検出後の通話者の端末８０への保留音の送信を行うものとしたが、これに限定されない。例えば、割込み着信通知音の送信、着端末のフッキング検出後の通話者の端末８０への保留音の送信を行わないようにしてもよい。
【符号の説明】
【００８１】
２０    中継サーバ
３０（３０Ａ〜３０Ｃ）  加入者サーバ
３１    ルーチング部
３２    番号通知識別子通知部
３３    割込み着信処理部
３４    割込み着信指示部
３５    契約者情報
３６    番号通知許可端末情報
４０（４０Ａ，４０Ｂ），４００  ＩＰ変換装置
４１    ＩＰ変換部
４２    通話パス確立部
４３    割込み着信通知音送信部
４４    発信者番号通知部
４５    フッキング検出部
４６    通話パス切り替え部
４７    保留音送信部
４８    メディアサーバ指示部
４９    発信者番号表示処理部
５０    エッジルータ
６０，６００    ホームゲートウェイ
６１    表示部
６２    音声出力部
６３    割込み着信通知音出力処理部
６４    発信者番号表示処理部
７０    メディアサーバ
８０（８０Ａ〜８０Ｆ）  端末
９０    ＰＳＴＮ−ＧＷ
１００  ＩＧＳ
１１０  ＧＣ
１２０  ＩＣ
【図１】
2011250036.tif 000005
【図２】
2011250036.tif 000006
【図３】
2011250036.tif 000007
【図４】
2011250036.tif 000008
【図５】
2011250036.tif 000009
【図６】
2011250036.tif 000010
【図７】
2011250036.tif 000011
【図８】
2011250036.tif 000012
【図９】
2011250036.tif 000013
【図１０】
2011250036.tif 000014